(57)【要約】【課題】着脱が容易であり、清掃が行い易いカウンターの取付構造を提供する。【解決手段】本発明のカウンターの取付構造は、壁部（１０４）に固定されるブラケット（５）と、前記ブラケットに取り付けられ前記壁部から突出するステー（６）と、前記ステーに支持されるカウンター部材（３）と、を備え、前記ステー及び前記カウンター部材は、前記壁部に対して着脱可能に取り付けられていることを特徴とする。【選択図】図３
2019041858.tif 000002
【特許請求の範囲】
【請求項１】
壁部に固定されるブラケットと、
前記ブラケットに取り付けられ前記壁部から突出するステーと、
前記ステーに支持されるカウンター部材と、を備え、
前記ステー及び前記カウンター部材は、前記壁部に対して着脱可能に取り付けられていることを特徴とするカウンターの取付構造。
【請求項２】
前記カウンター部材の幅方向に隣接して設けられるスペーサを備え、
前記スペーサは着脱可能に前記ステーに支持される
請求項１に記載のカウンターの取付構造。
【請求項３】
前記カウンター部材の天面と、前記スペーサの天面とが面一となるように取り付けられている
請求項２に記載のカウンターの取付構造。
【請求項４】
前記ブラケットに板状部を備え、
前記ブラケットは、前記板状部が前記壁部の壁面に当接するように固定されている
請求項１から請求項３のいずれか一項に記載のカウンターの取付構造。
【発明の詳細な説明】
【技術分野】
【０００１】
本発明は、浴室用のカウンターの取付構造に関する。
【背景技術】
【０００２】
浴室を構成する部品を予め工場で製造して、施工現場で各部品を組み立てて浴室を構築する浴室ユニットは、工期を短縮でき、且つ、品質を一定に保つことができるため、広く普及している。浴室ユニットでは、浴槽に隣接して設けられる洗い場に、水栓やカウンター等が設けられている（特許文献１）。
【０００３】
浴室ユニットは、多湿環境や湯水が隙間に溜まることにより、カビや水垢等の汚れが付着する虞がある。特許文献１には、浴室の壁面に固定されたベース部材に対して着脱可能な壁面用機能部材が開示されており、壁面用機能部材をベース部材に対して取り外して清掃可能となっている。
【先行技術文献】
【特許文献】
【０００４】
【特許文献１】特開２０１１−１８３１１７号公報
【発明の概要】
【発明が解決しようとする課題】
【０００５】
一般に浴室用のカウンターは軽量部材で構成されるため、特許文献１のように、一つの壁面のみで支持可能である。しかし、使用時には、湯水を溜めた洗面器が置かれたり、使用者によりカウンターの鉛直方向下向きの荷重が掛けられる場合がある。そのため、カウンターとベース部材との連結部分に荷重が集中すると、カウンターがベース部材に対して変位したり、浴室カウンターとベース部材との連結部分が損傷したり、カウンターがベース部材から外れたりする虞がある。そのため、カウンターを着脱可能であって、鉛直方向への荷重に耐え得るカウンターが望まれていた。
【０００６】
また、浴室ユニットは、設置場所に応じて複数種類のサイズが設定されている。この他、一般的に戸建住宅と集合住宅とでは、浴室ユニットの設置場所のモジュールが異なる。そのため、戸建住宅用の浴室ユニットと集合住宅用の浴室ユニットとでは、壁部や洗い場の寸法が異なる。
【０００７】
上述のように、洗い場の寸法が異なる浴室ユニットにカウンターを設ける場合、各種浴室ユニットに応じて複数種類のカウンター部品を準備する方法がある。しかし、各種浴室ユニット毎に専用のカウンター部品を準備すると製造コストが高くなるため、寸法が異なる浴室ユニットであっても使用する部品を共用したい。複数種類の浴室ユニットにおいてカウンター部品を共用部品とする場合、洗い場の幅が小さい浴室ユニットに合わせてカウンター部品の幅が設定され、洗い場の幅が大きい浴室ユニットでは、カウンター部品と壁面との間に隙間が生じる。そこで、従来の浴室ユニットでは、カウンター部品と壁面との間の隙間にスペーサを設ける場合がある。
【０００８】
カウンター部材と壁面との距離が大きい隙間にスペーサを設けると、スペーサを支持する部材であるステーが大型化し、ステーの壁部からの突出長が長くなる。ステーが大型化するとステーの清掃性やステーの周囲の床や壁の清掃性が低下する。
【０００９】
上記事情を踏まえ、本発明は、着脱が容易であり、清掃が行い易いカウンターの取付構造を提供することを目的とする。
【課題を解決するための手段】
【００１０】
本発明に係るカウンターの取付構造は、壁部に固定されるブラケットと、前記ブラケットに取り付けられ前記壁部から突出するステーと、前記ステーに支持されるカウンター部材と、を備え、前記ステー及び前記カウンター部材は、前記壁部に対して着脱可能に取り付けられていることを特徴とする。
【００１１】
この発明によれば、ステー及びカウンター部材は、壁部に対して着脱可能に取り付けられているため、ステー及びカウンター部材を壁部から取り外して清掃することができる。したがって、ステー及びカウンター部材自体を容易に清掃可能であり、且つ、ステー及びカウンター部材が取付けられる部位の周辺についても容易に清掃可能となる。
【００１２】
本発明に係るカウンターの取付構造は、前記カウンター部材の幅方向に隣接して設けられるスペーサを備え、前記スペーサは着脱可能に前記ステーに支持されてもよい。
【００１３】
この発明によれば、カウンター部材の幅方向に隣接してスペーサが設けられるため、洗い場の寸法が異なる浴室ユニットで、カウンター部材を共用できる。また、スペーサは着脱可能にステーに支持されるため、スペーサも取り外して容易に清掃可能である。
【００１４】
本発明に係るカウンターの取付構造では、前記カウンター部材の天面と、前記スペーサの天面とが面一となるように取り付けられていてもよい。
【００１５】
この発明によれば、カウンター部材の天面とスペーサの天面とが面一となるように取り付けられるため、スペーサがカウンター部材の一部として機能し得る。また、外観上、スペーサがカウンター部材の一部として一体感を有するように設けることができる。
【００１６】
本発明に係るカウンターの取付構造は、前記ブラケットに板状部を備え、前記ブラケットは、前記板状部が前記壁部の壁面に当接するように固定されていてもよい。
【００１７】
この発明によれば、ブラケットに板状部を備えることにより、ブラケットへのステーの着脱時に、壁面にステーが直接接触することを避けることができるため、壁面の損傷を防ぐことができる。
【発明の効果】
【００１８】
本発明によれば、着脱が容易であり、清掃が行い易いカウンターの取付構造を提供できる。
【図面の簡単な説明】
【００１９】
【図１】本発明の第１実施形態の浴室ユニットの一部を示す斜視図である。
【図２】本発明の第１実施形態の浴室ユニットの一部を示す上面図である。
【図３】本発明の第１実施形態の浴室ユニットのカウンター部分の正面図である。
【図４】本発明の第１実施形態のカウンター部材の斜視図である。
【図５】本発明の第１実施形態の第１支持部材及びカウンター部材の断面図である。
【図６】本発明の第１実施形態の第１ブラケット及び第１支持部材の分解斜視図である。
【図７】本発明の第１実施形態の第２ブラケット、第２係止部材、及びステーの分解斜視図である。
【図８】本発明の第１実施形態のステーの構造を示す斜視図である。
【図９】本発明の第１実施形態の第２支持部材及びカウンター部材の断面図である。
【図１０】本発明の第１実施形態のスペーサを示す斜視図である。
【図１１】本発明の第１実施形態に係るカウンターの取付構造を示す模式図である。
【図１２】本発明の第２実施形態の浴室ユニットのカウンター部分の正面図であり、浴槽の一部を破断して示す図である。
【発明を実施するための形態】
【００２０】
（第１実施形態）
本発明の第１実施形態に係るカウンターの取付構造について説明する。図１は、本実施形態の浴室ユニット１００の一部を示す斜視図である。図２は、本実施形態の浴室ユニット１００の一部を示す上面図であり、図２の（ａ）は（ｂ）の領域Ａの拡大図である。図３は、浴室ユニット１００のカウンター部分の正面図である。図４は、本実施形態のカウンター部材３の斜視図である。図５は、本実施形態の第１支持部材２１及びカウンター部材３の断面図である。図６は、本実施形態の第１ブラケット８及び第１支持部材２１の分解斜視図である。図７は、本実施形態の第２ブラケット８、第２支持部材２２、及びステー６の分解斜視図である。図８は、本実施形態のステー６の構造を示す斜視図である。図９は、本実施形態の第２支持部材２２及びカウンター部材３の断面図である。図１０は、本実施形態のスペーサ４を示す斜視図である。なお、図面において、同一又は類似の部分には同一の符号を付して、重複する説明を省く場合がある。また、図面における要素の形状及び大きさなどはより明確な説明のために誇張されることがある。
【００２１】
浴室ユニット１００は、建物の躯体内にフレームとパネルとを用いて、床、壁、天井及び浴槽等を組み立てて設置される。浴室ユニット１００内に形成される浴室には外枠形状が平面視で略長方形の浴槽１０１と、平面視略矩形であり、浴槽１０１と壁との間の床部を構成する洗い場１０２と、が設けられている。浴槽１０１の洗い場１０２との境界部分となる端部には、浴槽１０１の側面を覆うエプロン１０５（図１２参照）が設けられ、洗い場１０２と浴槽１０１とは、エプロン１０５を介して接続されている。洗い場１０２及び浴槽１０１の外縁から壁部が立設されている。
【００２２】
本実施形態では、浴室ユニット１００の壁部のうち、シャワー１０９や水栓１１０が設けられた壁を第１壁部１０３と称し、第１壁部１０３に直交し、浴槽１０１のエプロン１０５と対向する壁を第２壁部１０４と称する。また、浴槽１０１のエプロン１０５の前面は、第１壁部１０３と直交して配置され、第２壁部１０４と間隔をあけて対向している。
【００２３】
以下の説明において、第１壁部１０３の壁面に沿った水平方向を幅方向、幅方向に直交する水平方向を奥行方向とする。奥行方向のうち第１壁部１０３に近接する方向を奥行方向の奥側とし、第１壁部１０３と離間する方向を奥行方向の手前側とする。幅方向のうち、第２壁部１０４に対して浴槽１０１のエプロン１０５が配置されている側を幅方向の浴槽側とし、浴槽１０１のエプロン１０５に対して第２壁部１０４が配置されている側を幅方向の第２壁部側と記載する。
また、以下の説明では、特に断らない限り、各部材が第１壁部１０３、第２壁部１０４、または浴槽１０１のエプロン１０５に取り付けられた姿勢について説明する。
【００２４】
本実施形態に係るカウンターの取付構造１は、第１壁部１０３に設けられる浴室カウンター（カウンター）の取付構造である。浴室カウンターの取付構造１は、支持部材２と、カウンター部材３と、スペーサ４とを備える。
【００２５】
図１及び図２（ｂ）に示すように、カウンター部材３は、長尺に形成され、長辺が第１壁部１０３に沿い、短辺が第２壁部１０４およびエプロン１０５の前面に沿って配置されている。
図３から図５に示すように、カウンター部材３は、上側に配置される天板３１と、下側に配置される底板３２と、を有する。天板３１および底板３２は、それぞれ樹脂材料により形成されている。カウンター部材３は、天板３１と底板３２とが接合されて構成されている。カウンター部材３は、奥行方向の奥側の縁部が幅方向に直線状に形成され、幅方向の両側（浴槽側、第２壁部側）の縁部がそれぞれ奥行方向に直線状に形成されている。
【００２６】
天板３１の天面部３１１は、物品の載置面となる。天面部３１１は物品を載置可能な程度に略水平に形成されているが、第１壁部１０３側から洗い場１０２に臨む手前側の縁部３１２に向けて緩やかな水勾配を有する。図２（ｂ）に示すように、天面部３１１の奥行方向の手前側の縁部３１２は、幅方向の一方側から他方側（浴槽側から第２壁部側）に向かって次第に奥行方向の手前側に突出するように、平面視Ｓ字形状に緩やかな曲線状に形成されている。
【００２７】
図５に示すように、天板３１は、奥行方向の手前側の縁部３１２から下側に延びて、底板３２の奥行方向の手前側の端部３２１と接合されている。底板３２には、端部３２１から奥側に連設され、下側に突出する手掛け部３２２が形成されている。
【００２８】
図５に示すように、底板３２の手掛け部３２２よりも奥側は、カウンター部材３の奥行方向の奥側の下端部３２４に向かって緩やかに湾曲する湾曲面３２３が形成されている。カウンター部材３の下端部３２４には、下端係合部３２５が形成されている。下端係合部３２５は、下側に突出するように形成され、下端面３２６が幅方向に長尺な長方形の水平面を有する。
【００２９】
図４に示すように、カウンター部材３の奥行方向の奥側の後板部３５は、略平板状に形成されている。図５に示すように、後板部３５は、下端係合部３２５の奥行方向奥側の端部から鉛直方向上側に延設され、天板３１の奥行方向奥側の端部と接合されている。
【００３０】
図４及び図５に示すように、後板部３５は、上側被係止部３３と、複数の規制突出部３６とを有する。上側被係止部３３は、後板部３５の上端部に設けられている。上側被係止部３３は、上部が天面部３１１の奥行方向の奥側の端部３１５からさらに奥側に延設され、後板部３５の上端部３５１よりも奥側に離間した位置で、上部の奥側端部が鉛直下方に延び、後板部３５の上端部３５１と対向する係止片３３１を有する。図４に示すように、上側被係止部３３は、カウンター部材３の幅方向の略全域に形成されている。
【００３１】
図４に示すように、規制突出部３６は、後板部３５の幅方向に複数設けられている。本実施形態では、同じ形状を有する３つの規制突出部３６が後板部３５の幅方向に等間隔で設けられている。規制突出部３６は、後板部３５の高さ方向の中間部において、後板部３５から奥側に突出して形成されている。
【００３２】
図３及び図４に示すように、カウンター部材３は、幅方向の両端部に、第１側面部３４１と第２側面部３４２とを有している。第１側面部３４１は、天面部３１１の幅方向の一方側（第２壁部側）の縁部から下側に延びて形成されている。第２側面部３４２は、天面部３１１の幅方向の他方側（浴槽側）の縁部から下側に延びて形成されている。
【００３３】
天板３１及び底板３２の内部には、上下方向に延びる板状の複数のリブや、これらのリブの間やリブに連続して設けられた補強板などが適宜設けられている。これらのリブや補強板などによって天板３１及び底板３２は所定の強度を有する。
【００３４】
支持部材２は、第１壁部１０３に設けられる第１支持部材２１と、第２壁部１０４側に設けられる第２支持部材２２とを有する。支持部材２１，２２は、ブラケット５，８と、ステー６と、係止部材７，９と、を備えている。
【００３５】
図６に第１支持部材２１の第１ブラケット８及び第１係止部材９を斜視図で示す。第１ブラケット８は第１壁部１０３に固定される長尺な板状部材である。図６では、長尺方向の一部を省略して記載している。第１支持部材２１の第１ブラケット８は、板状部８１と、下支持部８３と、上支持部８４とを備える。
【００３６】
板状部８１は、幅方向に長尺な長方形状の平板であり、奥行方向の奥側に配置される面は、略全域に渡って第１壁部１０３と当接する平面となる。第１ブラケット８には、固定具用孔８２と、下支持部８３と、上支持部８４とが、第１係止部材９の数と取付位置に応じて複数設けられている。複数設けられる各固定具用孔８２、下支持部８３、上支持部８４は、同一の形態である。なお、板状部８１は、長尺な長方形状の平板に限定されず、第１係止部材９の数に応じて、固定具用孔８２、下支持部８３、上支持部８４を備える複数の板状部を用い、第１係止部材９の取付位置に応じて各板状部を取り付ける構成であってもよい。
【００３７】
固定具用孔８２は、板状部８１の厚さ方向に貫通する孔である。本実施形態では、１つの第１係止部材９に対して複数の固定具用孔８２が形成されている。具体的には、板状部８１の上下方向の略中央部に２つの固定具用孔８２が幅方向に並んで形成され、その下方に１つの固定具用孔８２が形成されている。なお、固定具用孔８２の位置は、第１係止部材９を取り付ける際に、ねじ等の固定具が係止部材９と干渉しない位置であればよい。また、固定具用孔８２の数は、係止部材９を介してカウンター部材３が取付けられた状態での使用に耐え得る程度に、第１ブラケット８が第１壁部１０３に固定可能であればよい。したがって、固定具用孔８２の位置及び数はこれに限定されない。
【００３８】
図６に示すように、下支持部８３は、板状部８１の下端部から奥行方向の手前側に水平方向に突出する支持平面８３０と、板状部８１の下端部から下方に延出して設けられる補助支持部８３３とを有する。
【００３９】
下支持部８３には、板状部８１と支持平面８３０との境界部分に、２つの貫通孔８３２が幅方向に並んで形成されている。貫通孔８３２の縁部近傍であって支持平面８３０の奥行方向の略中央部の上面には、上方向に突出する突起８３１が設けられている。突起８３１は第１係止部材９が第１ブラケット８に係止された時に第１係止部材９の奥行方向への移動を規制する規制部として機能する。
【００４０】
補助支持部８３３は、図５に示すように、板状部８１の第１壁部１０３との当接面と面一となるように下方に延出し、第１壁部１０３に当接する当接面８３３ａと、支持平面８３０の下面側に位置し、当接面８３３ａから奥行方向の手前側に延出する縦側面８３３ｂ，８３３ｂ及び底面８３３ｃからなる。
【００４１】
上支持部８４は、板状部８１の上部に幅方向に水平に延び、且つ、奥行方向の手前側に突出して形成されている。
【００４２】
図５及び図６に示すように、第１係止部材９は、カウンター部材３を第１ブラケット８に取り付けるための中間部材であり、第１ブラケット８に着脱可能に取り付けられる部材である。
【００４３】
図５に示すように、第１係止部材９は、中空部を有する樹脂部材で構成され、内部に強度を保持するための金属板９０が設けられている。第１係止部材９は、例えば、金属板９０の周囲を複数の樹脂部材で覆い、複数の樹脂部材同士が接合されて構成されている。
【００４４】
第１係止部材９は、上下方向に延びる係止部材本体９１と、係止部材本体９１の下端部に設けられた下係止部９２と、係止部材本体９１の上端部に設けられた上係止部９３とを備える。
【００４５】
下係止部９２は、係止部材本体９１の下端部から奥行方向の手前に突出して形成されている。図５に示すように、下係止部９２には、カウンター部材３の底板に形成された下端係合部３２５を受ける下係止溝９２１が形成されている。下係止溝９２１は、上方に向かって開口し、カウンター部材３の下端係合部３２５の形状に沿った断面略Ｕ字状に形成されている。排水性の観点により、下係止溝９２１の底面９２１ａは、幅方向の略中央部が両端部よりわずかに高くなるように緩やかな凸曲面状に形成されていることが好ましい。
【００４６】
上係止部９３は、係止部材本体９１の上端部に幅方向全体にわたって延在し、上方に向かって開口する上係止溝９３１が形成されている。上係止溝９３１は、カウンター部材３の係止片３３１が挿入可能な溝形状を有する。排水性の観点により、上係止溝９３１の底面は、幅方向の略中央部が両端部よりわずかに高くなるように緩やかな凸曲面状に形成されていることが好ましい。
【００４７】
第１係止部材９は、上係止部９３の奥行方向の手前側の上端部から下方に延びる前面部９４を有する。前面部９４には、係止部材本体９１の上下方向略中央部よりも下方で奥行方向に窪む段部９５が形成されている。係止部材本体９１の奥行方向の厚さは、係止部材本体９１の上下方向略中央部よりも上部側の方が、下部側よりも厚い。この段部９５よりも上方の上側前面部９４１の下端部には、係止部材本体９１の上下方向略中央部において下側に突出する受け部９６が形成されている。受け部９６は、カウンター部材３が第１係止部材９に係止された状態でカウンター部材３の規制突出部３６と当接可能な位置に形成されている。
図５及び図６に示すように、段部９５よりも下側の下側前面部９４２の下端部と、下係止溝９２１との間は奥行方向に延びる平面部９７を介して接続されている。
【００４８】
係止部材本体９１の下面には、下方向に突出する２つの突起９３２（図５参照）が設けられている。
【００４９】
図７に、第２ブラケット５、第２係止部材７、及びステー６の分解斜視図を示す。図７に示すように、第２支持部材２２の第２ブラケット５は、第１ブラケット８と同様に、長尺な板状部材であり、第２壁部１０４に固定される部材である。第２ブラケット５は、板状部５１と、下支持部５３と、上支持部５４と、突起５５と、移動規制部５６と、を備える。
【００５０】
板状部５１は、幅方向に長尺な長方形状の平板であり、幅方向の外側に配置される面は、略全域にわたって第２壁部１０４と当接する平面となる。第２ブラケット５には、固定具用孔５２と、下支持部５３と、上支持部５４とが、第２係止部材７の数と取付位置に応じて複数設けられている。
【００５１】
固定具用孔５２は、板状部５１の厚さ方向に貫通する孔である。本実施形態では、１つの第２係止部材７に対して複数の固定具用孔５２が形成されている。具体的には、板状部５１の上下方向の略中央部に２つの固定具用孔５２が奥行方向に並んで形成され、その下方に１つの固定具用孔５２が形成されている。なお、固定具用孔５２の位置は、第２係止部材７を取り付ける際に、ねじ等の固定具が第２係止部材７と干渉しない位置であればよい。また、固定具用孔５２の数は、第２係止部材７を介してステー６及びカウンター部材３が取付けられた状態での使用に耐え得る程度に、第２ブラケット５が第２壁部１０４に固定可能であればよい。したがって、固定具用孔５２の位置及び数はこれに限定されない。
【００５２】
図７に示すように、下支持部５３は、板状部５１の下端部から幅方向に第２壁部１０４との当接面とは反対側に突出して設けられている。下支持部５３には、板状部５１と下支持部５３との境界部分に、２つの貫通孔５３２が奥行方向に並んで形成されている。貫通孔５３２の縁部近傍であって、下支持部５３の幅方向の略中央部の上面には、上方向に突出する突起５３１が設けられている。突起５３１は第２係止部材７が第２ブラケット５に係止された時に、第２係止部材７の幅方向への移動を規制する規制部として機能する。
【００５３】
上支持部５４は、板状部５１の上部に奥行方向に水平に延び、且つ、幅方向に突出して形成されている。
【００５４】
突起５５及び移動規制部５６は、板状部５１の奥行方向の略中央部の上部に設けられている。板状部５１の上端縁は、奥行方向の略中央部で上方に突出しており、突起５５は、その突出部分の略中央部から幅方向に突出している。突起５５は、板状部５１から、第２係止部材７が取付けられる側（浴槽側）に向かって突出している。
【００５５】
移動規制部５６は、奥行方向から見た形状が略Ｌ字状であり、下端部が板状部５１の上支持部５４が形成される面と接続されて奥行方向に突出し、上部側が板状部５１と離間して対向するように上方に曲折して設けられている。移動規制部５６の上下方向に延びる部分５６１では、奥行方向の両端部は中央部よりも厚さが薄く、中央部に向かってテーパ面５６１ａが形成されている。
【００５６】
移動規制部５６は、突起５５の下方に設けられている。本実施形態では、２つの第２係止部材７が設けられているため、移動規制部５６は、２つの上支持部５４の間に設けられている。
【００５７】
図７に示すように、第２係止部材７は、上下方向に延びる係止部材本体７１と、係止部材本体７１の上端部に設けられた上係止部７３と、係止部材本体７１の下端面に設けられた下係止部７２（図９参照）とを備える。
【００５８】
図９に示すように、第２係止部材７は、中空部を有する樹脂部材で構成され、内部に強度を保持するための金属板７０が設けられている。例えば、金属板７０の周囲を複数の樹脂部材で覆い、複数の樹脂部材同士が接合されて構成されている。
【００５９】
第２係止部材７の係止部材本体７１は、下部が略直方体形状である。上係止部７３は、係止部材本体７１の上端部に奥行方向全体にわたって延在し、上方に向かって開口する上係止溝７３１が形成されている。上係止溝７３１は、後述するステー６の係止端が挿入可能な溝形状を有する。排水性の観点により、上係止溝７３１の底面は、奥行方向の略中央部が両端部よりわずかに高くなるように緩やかな凸曲面状に形成されていることが好ましい。
【００６０】
図９に示すように、下係止部７２は、第２係止部材７の係止部材本体７１の下端面に下方に突出して設けられている。下係止部７２は、奥行方向に２箇所並んで設けられている。
【００６１】
ステー６は、第２係止部材７に係止されてカウンター部材３を支持する部材である。図７から図９に示すように、ステー６は、上面６１と、上面６１の縁部のうちの３辺から下方に延設される３つの側壁部６４１，６４２，６４３（図９参照）と、第２ブラケット５及び第２係止部材７側の係止部６３（図８参照）とを有する。図８及び図９に示すように、ステー６は、上面６１の下側が開口する樹脂成型部材である。
【００６２】
側壁部６４１，６４２，６４３は、上面６１の縁部のうち、係止部６３が設けられる側の縁部とは幅方向の反対側の縁部から鉛直下方に延設される第１側壁部６４１と、上面６１の縁部のうち、幅方向に沿う２つの縁部から鉛直下方に延設される第２側壁部６４２，６４３と、を有する。第２側壁部６４２，６４３の下端部は、係止部６３の下端と第１側壁部６４１との下端とを繋ぐように傾斜している。
【００６３】
図８に示すように、上面６１の縁部のうち、第１側壁部６４１が設けられる側の縁部と幅方向に離間する端部の下方に係止部６３が設けられている。係止部６３は、上面６１の縁部から鉛直下方に延びる平面に、第２係止部材７の奥行方向の寸法に対応した切欠部６３１が形成されている。切欠部６３１の上端縁部６２は奥行方向に水平に形成されており、第２係止部材７の上係止溝７３１に挿入されて係止可能な形状を有する。また、上端縁部６２の上方には、幅方向の外側に突出する突出縁６３２が形成されている。突出縁６３２は、幅方向から見たときに切欠部６３１の形状と相似形で切欠部６３１よりも大きい寸法で形成されている。係止部６３は、奥行方向に並んで２つ形成されている。
【００６４】
ステー６の上面６１には、幅方向に延びる複数のリブ６１０が形成されている。リブ６１０の上面は水平面６１１であり、複数のリブ６１０の水平面６１１により載置面が構成されている。リブ６１０の間には傾斜面６１２が形成されている。図９に示すように、傾斜面６１２は、係止部６３側から第１側壁部６４１の上端に向かって下降するように緩やかに傾斜している。
【００６５】
図１０に、スペーサ４の斜視図を示す。スペーサ４はステー６の上面６１に載置される部材である。図１０に示すように、スペーサ４は、奥行方向に長い樹脂成型部材である。スペーサ４は、上部に位置する天面部４１と、下面部４２と、奥行方向の手前側に位置する側壁部４３１と、規制突起４４とを備える。
【００６６】
図１及び図３に示すように、天面部４１は、ステー６に取り付けられた状態で、カウンター部材３の天面部３１１と面一となる平面状に形成されている。天面部４１の奥行方向の奥側の端部４１２は、カウンター部材３の奥側の端部３１５と同様に直線状に形成されている。天面部４１の奥行方向の手前側の端部４１１は、カウンター部材３の手前側の縁部３１２の曲線形状と連続するように、平面視で手前側に突出する緩やかな曲線状に形成されている。
【００６７】
図２（ａ）及び（ｂ）に示すように、天面部４１の幅方向の両端は互いに平行な直線状に形成されており、幅方向の両端からそれぞれ鉛直下方に側壁部４５，４６が形成されている。スペーサ４がステー６に取り付けられたときに、第２ブラケット５側に位置する側壁を第１側壁部４６と称し、カウンター部材３側に位置する側壁を第２側壁部４５と称する。
【００６８】
第１側壁部４６の奥行方向の略中央部には、規制突起４４が設けられている。規制突起４４は、第１側壁部４６の下端から下方に延出している平面部４４１から幅方向に突出する突起である。規制突起４４は平面視で略半円形状を有する。
【００６９】
図１０に示すように、スペーサ４の手前側の側壁部４３１は、天面部４１の手前側の端部４１１から下方に延びて、天面部４１側から奥行方向の奥側下方に向かって緩やかに凸状の湾曲形状を有する。
【００７０】
次に、カウンターの取付方法及び取付構造について説明する。
第１ブラケット８の各固定具用孔８２に固定具であるねじ（不図示）が挿入されて第１壁部１０３に固定される。同様に、第２ブラケット５の各固定具用孔５２にもねじが挿入されて第２壁部１０４に固定される。
【００７１】
第１係止部材９は、第１ブラケット８に着脱可能に取り付けられる。
図５及び図６に示すように、上係止部９３の奥行方向の奥側の端部９３３を上支持部８４の下部に係止させる。その後、第１ブラケット８の下支持部８３上に第１係止部材９の下係止部９２を近付けて当接させ、第１係止部材９の奥行方向の奥側の面を板状部８１の手前側の面に当接させる。このとき、下係止部９２の下面の突起９３２が下支持部８３の貫通孔８３２に進入して係止される。第１係止部材９の突起９３２は、下支持部８３の突起８３１と当接する。この結果、上支持部８４と下支持部８３との間で第１係止部材９の係止部材本体９１が上下方向で挟持され、下支持部８３の貫通孔８３２に第１係止部材９の下面の突起９３２が係止されて、第１係止部材９は、第１ブラケット８に保持される。同様の方法で３つの第１係止部材９全てを第１ブラケット８に取り付ける。
【００７２】
第２係止部材７は、第１係止部材９と同様に、第２ブラケット５に着脱可能に取り付けられる。
図７に示すように、第２ブラケット５の下支持部５３上に第２係止部材７の係止部材本体７１の下部を近付けて当接させ、第２係止部材７の奥行方向の奥側の面を板状部５１の手前側の面に当接させる。このとき、係止部材本体７１の下面の下係止部７２が下支持部５３の貫通孔５３２に進入して係止される。第２係止部材７の下係止部７２は、下支持部５３の突起５３１と当接する。その後、上係止部７３の奥行方向の奥側の端部を上支持部５４の下部に当接させる。この結果、上支持部５４と下支持部５３との間で第２係止部材７の係止部材本体７１が上下方向で挟持され、下支持部５３の貫通孔５３２に第２係止部材７の下面の突起７３２が係止されて、第２係止部材７は、第２ブラケット５に保持される。同様の方法でもう一方の第２係止部材７を第２ブラケット５に取り付ける。
【００７３】
なお、第１係止部材９を第１ブラケット８から取り外すときは、係止部材本体９１の上部を奥行方向の手前側に傾けるように引き、上支持部５４から離間させると、第１ブラケット８から第１係止部材９を取り外すことができる。
第２係止部材７を第２ブラケット５から取り外す方法も同様である。
【００７４】
次に、ステー６を第２係止部材７に係止する。ステー６を第２壁部１０４に近接させながらステー６の係止部６３を第２係止部材７に上方から近付け、切欠部６３１の上端縁部６２を第２係止部材７の上係止溝７３１に挿入する。図９に示すように、切欠部６３１の上端縁部６２が上係止溝７３１に係止される。また、切欠部６３１の上端縁部６２の上方の突出縁６３２が第２ブラケット５の板状部５１に当接している。突出縁６３２は、第２係止部材７の上部及び奥行方向両端の外周部において板状部５１に当接する。したがって、ステー６は、上端縁部６２が上係止溝７３１に係止され、且つ、突出縁６３２が板状部５１に当接することにより、第２支持部材２２に安定支持される。
【００７５】
一方、ステー６を上方に持ち上げると、ステー６を第２支持部材２２から簡単に取り外すことができる。
【００７６】
次に、カウンター部材３を取り付ける。
まず、カウンター部材３の奥行方向の手前側の縁部近傍を把持し、カウンター部材３を３つの第１係止部材９の上方に配置する。このとき、カウンター部材３の手掛け部３２２を下側から把持するとカウンター部材３を把持しやすい。
カウンター部材３を第１ブラケット８に向かって下降させる際には、カウンター部材３を第１壁部１０３に寄せた状態で下降させる。カウンター部材３の係止片３３１を第１係止部材９の上係止溝９３１に挿入させ、カウンター部材３の下端係合部３２５を第１係止部材９の下係止溝９２１に挿入させる。これにより、係止片３３１が上係止溝９３１に下側から支持され、下端係合部３２５が下係止溝９２１に下側から支持される。
このとき、カウンター部材３の幅方向の他方側（第２壁部１０４側）の第１側面部３４１側の下部がステー６の上面６１に配置されて水平面６１１に当接し、カウンター部材３は、ステー６に下側から支持される。
【００７７】
係止片３３１はカウンター部材３の後板部３５の幅方向の略全長にわたって形成されているため、カウンター部材３は第１係止部材９に係止された状態で幅方向にスライド可能である。したがって、最初は、カウンター部材３の幅方向の取付位置を精密に調整する必要がない。
【００７８】
上記のようにカウンター部材３が配置されると、カウンター部材３の幅方向一方側（浴槽１０１側）の第２側面部３４２と浴槽１０１のエプロン１０５の前面との間には隙間が形成された状態となる。また、カウンター部材３の後板部３５の複数の規制突出部３６が、第１係止部材９と奥行き方向に重ならず、第１係止部材９の幅方向の他方側（第２壁部１０４側）に配置された状態となる。
【００７９】
続いて、カウンター部材３を幅方向の浴槽１０１側にスライドさせる。
カウンター部材３を幅方向の浴槽１０１側にスライドすると、カウンター部材３の規制突出部３６が第１係止部材９の段部９５の下方に入り込み、規制突出部３６の幅方向一方側の端部が受け部９６と当接する。これにより、カウンター部材３の幅方向一方側への移動が規制される。
【００８０】
カウンター部材３の規制突出部３６が受け部９６と当接すると、カウンター部材３の第２側面部３４２が浴槽１０１のエプロン１０５の前面とわずかな隙間をあけて離間し、エプロン１０５の前面と衝突しないように構成されている。
このようにカウンター部材３が配置されると、カウンター部材３の第１側面部３４１は、ステー６の上面６１の水平面６１１上に配置される。カウンター部材３の第１側面部３４１は、幅方向において、第２ブラケット５と離間し、ステー６の上面６１は広く露出した状態となる。
【００８１】
次に、カウンター部材３の第１側面部３４１と第２ブラケット５との間であって、ステー６の上面６１にスペーサ４を配置する。ステー６の上面６１に配置されたスペーサ４は、第２ブラケット５（第２支持部材２２）の突起５５と点接触する。
【００８２】
図１１は、本実施形態に係るカウンターの取付構造を示す模式図である。カウンター部材３及びスペーサ４は、それぞれ、奥行方向の奥側の端面と幅方向の両側面との角度θが直角に形成されている。また、浴室の隅部における壁部同士の角度θは設計上直角である。しかし、施工現場では数度の誤差が生じる場合がある。この結果、上記のようにカウンター部材３及びスペーサ４を配置した際、図２（ａ）及び図１１（ａ）に示すように、カウンター部材３の第１側面部３４１に対してスペーサ４の側壁が僅かに傾いて配置され、壁面とカウンター部材３あるいはスペーサ４との間の隙間の間隔が均一とならない。しかし、外観上、カウンター部材３とスペーサ４との当接部は隙間なく配置したい。
【００８３】
そこで、図１１（ｂ）に示すように、カウンター部材３を第２壁部１０４側に幅方向にスライドさせ、スペーサ４の第２側壁部４５に当接させる。このとき、図１１（ａ）に示すように、平面視において、スペーサ４の奥行方向の奥側の端面が第１壁部１０３の壁面に対して傾斜して配置されている場合、カウンター部材３の第１側面部３４１は、スペーサ４の第２側壁部４５の奥側の端部４５ａが先に当接する。スペーサ４は、ステー６の上面６１に載置されているだけであり、スペーサ４の第１側壁部４６が、カウンター部材３の奥行方向の略中間部に相当する位置で第２ブラケット５の突起５５と点接触しているので、スペーサ４の奥側が第２壁部１０４側に押される。スペーサ４は、平面視において突起５５との点接触部を支点として回動し、カウンター部材３のスペーサ４の第２側壁部４５の手前側の端部４５ｂが離間状態からカウンター部材３に近付いて、カウンター部材３の第１側面部３４１とスペーサ４の第２側壁部４５とが平行に隙間なく配置される。
【００８４】
なお、図示は省略するが、スペーサ４の第２側壁部４５側に、幅方向に突出し、跳ね上げ規制部として機能する突起を設けてもよい。カウンター部材３の第１側面部３４１とスペーサ４の第２側壁部４５とが平行に隙間なく配置されたときに、跳ね上げ規制部としての突起の上方にカウンター部材３の第１側面部３４１の一部が当接することにより、スペーサ４がカウンター部材３に係止され、スペーサ４が上方に跳ね上がることを防ぐことができる。
【００８５】
なお、スペーサ４はステー６の上面６１載置されているだけであり、スペーサ４の下面は水平面６１１にのみ当接している。したがって、スペーサ４とステー６の上面６１との接触面積を抑えているので、スペーサ４の平面視の回動時の摩擦抵抗を抑えて容易に回動させることができる。
【００８６】
図１１に示す例では、第１壁部１０３と第２壁部１０４との隅部の角度θが９０度よりも僅かに大きい例を示した。この他、この隅部の角度θが９０度よりも小さい場合も同様に、スペーサ４が突起５５との点接触部（当接部）を支点として回動し、カウンター部材３の第１側面部３４１とスペーサ４の第２側壁部４５と平行に隙間なく配置できる。この場合、カウンター部材３は、スペーサ４の第２側壁部４５の手前側の端部４５ｂに先に当接し、スペーサ４の手前側が第２壁部１０４側に押される。スペーサ４は、平面視において突起５５との点接触部を支点として回動し、カウンター部材３のスペーサ４の第２側壁部４５の奥側の端部４５ａが離間状態からカウンター部材３に近付いて、カウンター部材３の第１側面部３４１とスペーサ４の第２側壁部４５とが平行に隙間なく配置される。
【００８７】
図１１に示す例では、第２ブラケット５に突起５５を設けた例を示したが、スペーサ４側に突起を設けてもよい。また、スペーサ４が第２支持部材２２に対して平面視で相対回動するための回動支点は、スペーサの奥行き方向の先端から第１壁部１０３側の端部までの間であってスペーサ４と第２支持部材２２との間の当接部に設けられればよい。例えば、回動支点は、スペーサ４とステー６との接触部に設けられてもよい。
【００８８】
また、スペーサ４がステー６の上面６１に配置されると、スペーサ４は、移動規制部５６により、奥行方向の移動が規制される。具体的には、スペーサ４の第１側壁部４６に設けられた規制突起４４が移動規制部５６の奥側の近傍に配置され、スペーサ４が奥行方向の手前側にずれた場合に、規制突起４４が移動規制部５６の奥側端部に当接し、スペーサ４が手前側に移動することを規制する。この結果、スペーサ４が支点を中心に第２支持部材２２に対して回動する時に、スペーサ４が奥行方向に移動することが規制される。したがって、支点を中心にスペーサ４を第２支持部材２２に対して安定して回動させることができる。
【００８９】
一方、例えば、清掃時等、ステー６の上面６１に配置されたスペーサ４を積極的に手前側に移動させたい場合、規制突起４４が移動規制部５６の奥側端部に当接した状態でさらにスペーサ４を手前側に引くと、規制突起４４が移動規制部５６のテーパ面５６１ａを第２ブラケット５の板状部５１側に押圧する。その結果、移動規制部５６が弾性変形して、規制突起４４が移動規制部５６を乗り越えて、スペーサ４が手前側に移動する。
【００９０】
この結果、スペーサ４は、規制突起４４と移動規制部５６とにより、手前方向に所定量以下の外力が付加された場合は、第２ブラケット５に対する奥行方向の移動が規制され、手前方向に所定量以上の外力が付加された場合は、手前方向に移動可能となるように構成されている。
【００９１】
本実施形態に係るカウンターの取付構造によれば、ステー６及びカウンター部材３は、第２壁部１０４に対して着脱可能に取り付けられているため、ステー６及びカウンター部材３を壁部から取り外して清掃することができる。したがって、ステー６及びカウンター部材３自体を容易に清掃可能であり、且つ、ステー６及びカウンター部材３が取付けられる部位の周辺についても容易に清掃可能となる。
【００９２】
本実施形態に係るカウンターの取付構造によれば、第１支持部材２１において、第１ブラケット８のみが第１壁部１０３に固定され、第１係止部材９及びカウンター部材３は、第１壁部１０３に対して着脱可能に取り付けられているため、第１係止部材９及びカウンター部材３を壁部から取り外して清掃することができる。したがって、カウンター部材３自体を容易に清掃可能であり、且つ、カウンター部材３が第１壁部１０３に取付けられる部位の周辺についても容易に清掃可能となる。
【００９３】
本実施形態に係るカウンターの取付構造によれば、施工現場において、内側隅部を構成する壁部１０３，１０４同士の角度θが９０度より大きい場合も９０度未満の場合も、スペーサ４を第２支持部材２２に対して支点を中心に回動させることにより、スペーサ４をカウンター部材３に対して隙間なく当接させることができる。
【００９４】
本実施形態に係るカウンターの取付構造によれば、カウンター部材３の幅方向に隣接してスペーサ４が設けられるため、洗い場１０２の寸法が異なる浴室ユニットで、カウンター部材３を共用できる。また、スペーサ４は着脱可能にステー６に支持されるため、スペーサ４も取り外して容易に清掃可能である。
【００９５】
本実施形態に係るカウンターの取付構造によれば、カウンター部材３の天板３１とスペーサ４の天面部４１とが面一となるように取り付けられるため、スペーサ４がカウンター部材３の一部として機能し得る。また、外観上、スペーサ４がカウンター部材３の一部として一体感を有するようにスペーサ４を設けることができる。
【００９６】
本実施形態に係るカウンターの取付構造によれば、第１ブラケット８及び第２ブラケット５に板状部８１，５１を備えることにより、第１ブラケット８及び第２ブラケット５へのステー６やカウンター部材３の着脱時に、第１壁部１０３または第２壁部１０４の壁面にステー６やカウンター部材３が直接接触することを避けることができるため、壁面の損傷を防ぐことができる。
【００９７】
以上、本発明の実施形態について図面を参照して詳述したが、具体的な構成はこの実施形態に限られるものではなく、本発明の要旨を逸脱しない範囲の設計変更等も含まれる。
【００９８】
（第２実施形態）
図１２に第２実施形態のカウンターの取付構造１Ａの正面図を示す。図１２は、本実施形態のカウンター部分の正面図であり、浴槽１０１の一部を破断して示す図である。以下に示す実施形態において、上述した第１実施形態に係るカウンターの取付構造の構成要素と機能あるいは構造の点において同様である構成要素には、上記実施形態と同一符号が付されており、上記実施形態と重複する説明は省略する。
【００９９】
第２実施形態では、スペーサ４をカウンター部材３と浴槽１０１との間に配置する例を示す。第２支持部材２２及びスペーサ４は、カウンター部材３の幅方向の何れか一方に隣接して配置可能である。この他、カウンター部材３の幅方向の両端に第２支持部材２２及びスペーサ４を設ける構成でもよい。
【０１００】
スペーサ４をカウンター部材３と浴槽１０１との間に配置する場合、第２支持部材２２は、浴槽１０１に取り付ける。具体的には、エプロン１０５の上端部に、受け部材１０６を固定する。第２ブラケット５、第２係止部材７、ステー６は、取付位置に関わらず共用できる。
【０１０１】
第１実施形態で第２ブラケット５を第２壁部１０４にねじで固定した例と同様に、第２ブラケット５は受け部材１０６に固定される。第２係止部材７及びステー６を取り付けた後、カウンター部材３を取り付ける。カウンター部材３の第１支持部材２１への取付方法は第１実施形態と同様であり、取り付け後のカウンター部材３のスライド方向が第１実施形態と反対に第２壁部１０４側にスライドさせた後、スペーサ４をステー６に配置する。
【０１０２】
第１実施形態では、スペーサ４の第１側壁部４６に規制突起４４を設け、第１側壁部４１３側に跳ね上げ規制部（不図示）を設けた例を示した。しかし、第１実施形態のスペーサ４の規制突起４４をスペーサ４の幅方向両端に形成することにより、カウンター部材３の浴槽１０１側にスペーサ４を設ける場合と、第２壁部１０４側に設ける場合とで部品を共用できる。つまり、規制突起４４は、第２ブラケット５の移動規制部５６とは奥行方向に係止してスペーサ４の奥行方向への移動を規制し、カウンター部材３の第２側面部３４２の段部とは上下方向に係止して、スペーサ４の上方向への移動を規制する構成とし、規制突起４４が跳ね上げ規制部の機能を兼ねる構成となる。
【０１０３】
本実施形態に係るカウンターの取付構造によれば、カウンター部材３と浴槽１０１との間にも第１実施形態と同様にスペーサ４を設けることができる。
【０１０４】
本実施形態に係るカウンターの取付構造によれば、ステー６及びカウンター部材３は、浴槽１０１のエプロン１０５に対して着脱可能に取り付けられているため、ステー６及びカウンター部材３をエプロン１０５から取り外して清掃することができる。したがって、ステー６及びカウンター部材３自体を容易に清掃可能であり、且つ、ステー６及びカウンター部材３が取付けられるエプロン１０５の周辺についても容易に清掃可能となる。
【０１０５】
上記実施形態では、第１支持部材２１の第１係止部材９が第１ブラケット８に対して着脱可能である例を示したが、第１係止部材９は第１ブラケット８に固定されている構成であってもよい。
【０１０６】
以上、本発明の実施形態について図面を参照して詳述したが、具体的な構成はこの実施形態に限られるものではなく、本発明の要旨を逸脱しない範囲の設計変更等も含まれる。
また、上述の実施形態において示した構成要素は適宜に組み合わせて構成することが可能である。
【符号の説明】
【０１０７】
１０３  第１壁部（壁部）
１０４  第２壁部（壁部）
３  カウンター部材
４  スペーサ
５  第２ブラケット（ブラケット）
６  ステー
８  第１ブラケット（ブラケット）
５１、８１  板状部
【図１】
2019041858.tif 000003
【図２】
2019041858.tif 000004
【図３】
2019041858.tif 000005
【図４】
2019041858.tif 000006
【図５】
2019041858.tif 000007
【図６】
2019041858.tif 000008
【図７】
2019041858.tif 000009
【図８】
2019041858.tif 000010
【図９】
2019041858.tif 000011
【図１０】
2019041858.tif 000012
【図１１】
2019041858.tif 000013
【図１２】
2019041858.tif 000014